(57)【特許請求の範囲】
【請求項１】
外部装置が接続され、電力が供給されると前記外部装置と通信可能となる通信手段と、
前記通信手段への電力供給を制御する供給制御手段と、
前記供給制御手段により前記通信手段への電力供給を停止する場合、前記通信手段に接続された外部装置から当該外部装置を特定する識別子を取得し、取得した当該識別子を記憶部に記憶させる識別子記憶手段と、
前記供給制御手段により前記通信手段へ電力を供給する場合、前記通信手段に接続された外部装置から当該外部装置を特定する識別子を取得する識別子取得手段と、
前記記憶部に記憶されている識別子が前記識別子取得手段で取得された識別子と同じである場合、前記通信手段に接続されている外部装置に対応した画面を表示部に表示させず、前記記憶部に記憶されている識別子が前記識別子取得手段で取得された識別子と異なる場合、前記通信手段に接続されている外部装置に対応した画面を表示部に表示させる表示制御手段と
を有する情報処理装置。
【請求項２】
前記表示制御手段は、前記記憶部に記憶されている識別子が前記識別子取得手段で取得された識別子と同じである場合、前記通信手段に接続されている外部装置に対応した処理を指示する画面を表示部に表示させず、前記記憶部に記憶されている識別子が前記識別子取得手段で取得された識別子と異なる場合、前記通信手段に接続されている外部装置に対応した処理を指示する画面を表示部に表示させる
請求項１に記載の情報処理装置。
【請求項３】
コンピュータを、
電力が供給されると外部装置と通信可能となる通信手段への電力供給を制御する供給制御手段と、
前記供給制御手段により前記通信手段への電力供給を停止する場合、前記通信手段に接続された外部装置から当該外部装置を特定する識別子を取得し、取得した当該識別子を記憶部に記憶させる識別子記憶手段と、
前記供給制御手段により前記通信手段へ電力を供給する場合、前記通信手段に接続された外部装置から当該外部装置を特定する識別子を取得する識別子取得手段と、
前記記憶部に記憶されている識別子が前記識別子取得手段で取得された識別子と同じである場合、前記通信手段に接続されている外部装置に対応した画面を表示部に表示させず、前記記憶部に記憶されている識別子が前記識別子取得手段で取得された識別子と異なる場合、前記通信手段に接続されている外部装置に対応した画面を表示部に表示させる表示制御手段
として機能させるためのプログラム。
【発明の詳細な説明】
【技術分野】
【０００１】
本発明は、情報処理装置およびプログラムに関する。
【背景技術】
【０００２】
固有の識別子を有する周辺機器が接続されるコンピュータ装置の発明として特許文献１に開示された発明がある。特許文献１に開示されているホストコンピュータは、ＵＳＢ（Universal Serial Bus）インターフェースを備えており、ＵＳＢインターフェースに周辺機器が接続されると、周辺機器が有するベンダーＩＤおよびプロダクトＩＤを取得する。また、このコンピュータは、ベンダーＩＤおよびプロダクトＩＤを取得すると、取得した各ＩＤと、過去に記憶したベンダーＩＤおよびプロダクトＩＤとを比較する。
【先行技術文献】
【特許文献】
【０００３】
【特許文献１】特開２００３−１９６２２４号公報
【発明の概要】
【発明が解決しようとする課題】
【０００４】
本発明は、外部装置が接続されている通信手段への電力供給が停止された後に当該外部装置が接続された状態で通信手段へ電力供給が再開されても当該外部装置に対応した画面を表示しないようにすることを目的とする。
【課題を解決するための手段】
【０００５】
本発明の請求項１に係る情報処理装置は、外部装置が接続され、電力が供給されると前記外部装置と通信可能となる通信手段と、前記通信手段への電力供給を制御する供給制御手段と、前記供給制御手段により前記通信手段への電力供給を停止する場合、前記通信手段に接続された外部装置から当該外部装置を特定する識別子を取得し、取得した当該識別子を記憶部に記憶させる識別子記憶手段と、前記供給制御手段により前記通信手段へ電力を供給する場合、前記通信手段に接続された外部装置から当該外部装置を特定する識別子を取得する識別子取得手段と、前記記憶部に記憶されている識別子が前記識別子取得手段で取得された識別子と同じである場合、前記通信手段に接続されている外部装置に対応した画面を表示部に表示させず、前記記憶部に記憶されている識別子が前記識別子取得手段で取得された識別子と異なる場合、前記通信手段に接続されている外部装置に対応した画面を表示部に表示させる表示制御手段とを備える構成を有する。
本発明の請求項２に係る情報処理装置は、前記表示制御手段は、前記記憶部に記憶されている識別子が前記識別子取得手段で取得された識別子と同じである場合、前記通信手段に接続されている外部装置に対応した処理を指示する画面を表示部に表示させず、前記記憶部に記憶されている識別子が前記識別子取得手段で取得された識別子と異なる場合、前記通信手段に接続されている外部装置に対応した処理を指示する画面を表示部に表示させる。
【０００６】
本発明の請求項３に係るプログラムは、コンピュータを、電力が供給されると外部装置と通信可能となる通信手段への電力供給を制御する供給制御手段と、前記供給制御手段により前記通信手段への電力供給を停止する場合、前記通信手段に接続された外部装置から当該外部装置を特定する識別子を取得し、取得した当該識別子を記憶部に記憶させる識別子記憶手段と、前記供給制御手段により前記通信手段へ電力を供給する場合、前記通信手段に接続された外部装置から当該外部装置を特定する識別子を取得する識別子取得手段と、前記記憶部に記憶されている識別子が前記識別子取得手段で取得された識別子と同じである場合、前記通信手段に接続されている外部装置に対応した画面を表示部に表示させず、前記記憶部に記憶されている識別子が前記識別子取得手段で取得された識別子と異なる場合、前記通信手段に接続されている外部装置に対応した画面を表示部に表示させる表示制御手段として機能させるためのプログラムである。
【発明の効果】
【０００７】
請求項１−３に係る発明によれば、外部装置が接続されている通信手段への電力供給が停止された後に当該外部装置が接続された状態で通信手段へ電力供給が再開されても当該外部装置に対応した画面が表示されない。
【図面の簡単な説明】
【０００８】
【図１】本発明の一実施形態に係る装置を示した図。
【図２】情報処理装置１のハードウェア構成を示した図。
【図３】情報処理装置１の機能構成を示した図。
【図４】制御部１０２が行う処理の流れを示したフローチャート。
【図５】表示部１０５に表示される画面を示した図。
【図６】制御部１０２が行う処理の流れを示したフローチャート。
【図７】制御部１０２が行う処理の流れを示したフローチャート。
【発明を実施するための形態】
【０００９】
［実施形態］
図１は、本発明の一実施形態に係る情報処理装置１と外部装置２とを示した図である。本実施形態に係る情報処理装置１は電子写真方式の画像形成装置である。情報処理装置１は、パーソナルコンピュータなどの他のコンピュータ装置から送られたデータまたは外部装置２から取得したデータに従って用紙に画像を形成する画像形成機能、文書を複写する複写機能、用紙に形成されている画像を読み取るスキャン機能などを備えている。なお、情報処理装置１が備える機能は、これらの機能に限定されるものではなく、ファクシミリの機能を備えていてもよい。また、情報処理装置１は、上述した機能を全て備えているものに限定されず、例えば、画像形成機能および複写機能を備えており、他の機能を備えていない構成であってもよい。
本実施形態に係る外部装置２は、ＵＳＢ規格に従った通信を行う装置である。外部装置２としては、データを記憶する記録媒体（例えば、不揮発性の半導体メモリなど）への読み書きを行う記録装置（例えば、所謂メディアリーダ）や、ＵＳＢメモリなどがある。外部装置２は、ＵＳＢのプラグを備えており、情報処理装置１に接続される。
【００１０】
（情報処理装置１の構成）
図２は、情報処理装置１のハードウェア構成を示した図である。図に示したように情報処理装置１の各部はバス１０１に接続され、バス１０１を介して各部間でデータのやり取りを行う。
本実施形態の操作部１０４は、情報処理装置１を操作するための複数のボタンやタッチスクリーンを備えている。なお、タッチスクリーンにおいて画像を表示する表示部１０５は、ディスプレイ装置である。表示部１０５としては液晶ディスプレイや有機ＥＬ（Electro Luminescence）ディスプレイ等が挙げられる。
本実施形態の第１通信部１０９は、通信ケーブルで通信回線に接続され、通信回線に接続されている他の装置とデータ通信を行う。なお、通信回線としては、電話回線やＬＡＮ（local Area Network）等が挙げられる。
本実施形態の第２通信部１１０は、ＵＳＢ規格に従って通信を行い、情報処理装置１と他の装置との間で情報のやり取りを仲介する。第２通信部１１０は、ＵＳＢのプラグが挿入されるＵＳＢのソケットを備えており、外部装置２と通信を行う通信手段の一例に相当する。第２通信部１１０は、電力が供給されていると、接続されている装置と通信可能となる。
【００１１】
画像読取部１０６は、文書を光学的に読み取り、読み取った文書の画像を表す画像データを生成する画像読取装置（図示略）を備えている。画像読取部１０６は、生成した画像データを画像処理部１０８へ出力する。画像処理部１０８は、入力される画像データに各種処理を施すものである。画像処理部１０８は、入力される画像データが表す画像に色補正や階調補正等の画像処理を施し、画像処理が施された画像からＹｅｌｌｏｗ（Ｙ），Ｍａｇｅｎｔａ（Ｍ），Ｃｙａｎ（Ｃ），Ｂｌａｃｋ（Ｋ）の各色の画像の画像データを生成して画像形成部１０７へ出力する。
【００１２】
本実施形態の画像形成部１０７は、電子写真方式によって用紙にトナー像を形成する画像形成部（図示略）を具備している。具体的には、この画像形成部は、Ｙｅｌｌｏｗの色のトナー像を形成する画像形成部，Ｍａｇｅｎｔａの色のトナー像を形成する画像形成部，Ｃｙａｎの色のトナー像を形成する画像形成部，Ｂｌａｃｋの色のトナー像を形成する画像形成部を備えている。各画像形成部は、画像読取部１０６が生成した画像データ、第１通信部１０９が受信したデータ、または第２通信部１１０で取得したデータに従って感光体上に静電潜像を形成した後、感光体表面にトナーを付着させてＹ・Ｍ・Ｃ・Ｋの各色のトナー像を形成し、このトナー像を用紙に転写する。そして、用紙に転写されたトナー像に熱と圧力を加えて定着させた後、トナー像が形成された用紙を情報処理装置１の外へ排出する。なお、本実施形態においてはトナーを用いて用紙に画像を形成するが、インクジェット方式などのインクを用いて用紙に画像を形成する構成としてもよい。また、画像が形成される媒体は紙に限定されるものではなく、ＯＨＰ（OverHead Projector）用のシートなど透明な合成樹脂のシートであってもよい。
【００１３】
本実施形態の記憶部１０３は、電力を供給しなくともデータを保持する記憶装置（例えば、ハードディスク装置）を具備しており、第１通信部１０９や第２通信部１１０で受信したデータや画像読取部１０６で生成されたデータなどを記憶する。
本実施形態の制御部１０２は、ＣＰＵ（Central Processing Unit）１０２Ａ、ＲＯＭ（Read Only Memory）１０２ＢおよびＲＡＭ（Random Access Memory）１０２Ｃ等を備えた、所謂マイクロコンピュータである。ＣＰＵ１０２Ａが、ＲＯＭ１０２Ｂに記憶されているプログラムを実行すると、上述した画像形成機能、複写機能およびスキャン機能などが実現する。また、ＣＰＵ１０２Ａが、ＲＯＭ１０２Ｂに記憶されているプログラムを実行すると、第２通信部１１０に他の装置が接続されたことを検知する機能、第２通信部１１０に接続された装置にデータの読み書きを行う機能、第２通信部１１０に接続された装置に係る操作をユーザに行わせるためのメニュー画面を表示する機能などが実現する。
また、ＣＰＵ１０２ＡがＲＯＭ１０２Ｂに記憶されているプログラムを実行すると、電力を供給する部分を制限して節電状態に移行し、節電状態において操作部１０４での操作または第１通信部１０９でのデータの受信が行われると、電力供給の制限を解除した非節電状態に移行する節電機能が実現する。
【００１４】
（情報処理装置１の機能構成）
図３は、制御部１０２において実現する機能の構成を示したブロック図である。
供給制御部２００は、接続部への電力供給を制御する供給制御手段の一例に相当する。供給制御部２００は、節電状態へ移行する場合には第２通信部１１０への電力供給を停止し、非節電状態へ移行する場合には第２通信部１１０への電力供給を行う。
識別子記憶部２０１は、外部装置２を特定する識別子を記憶部１０３へ記憶させる識別子記憶手段の一例である。識別子記憶部２０１は、外部装置２が記憶している製造者識別子（所謂ベンダーＩＤ）と製品識別子（所謂プロダクトＩＤ）を、第２通信部１１０を介して外部装置２から取得し、取得した各識別子を記憶部１０３に記憶させる。
識別子取得部２０２は、外部装置２を特定する識別子を外部装置２から取得する識別子取得手段の一例に相当する。識別子取得部２０２は、外部装置２を特定する製造者識別子と製品識別子を、第２通信部１１０を介して外部装置２から取得する。
【００１５】
表示制御部２０３は、第２通信部１１０に接続されている外部装置２に対応した画面を表示部１０５に表示させる表示制御手段の一例に相当する。表示制御部２０３は、記憶部１０３に記憶されている製造者識別子が識別子取得部２０２で取得された製造者識別子と同じであり、且つ、記憶部１０３に記憶されている製品識別子が識別子取得部２０２で取得された製品識別子と同じである場合、第２通信部１１０に接続されている外部装置２に対応した画面を表示部１０５に表示させない。
また、表示制御部２０３は、記憶部１０３に記憶されている製造者識別子が識別子取得部２０２で取得された製造者識別子と異なる場合、または、記憶部１０３に記憶されている製品識別子が識別子取得部２０２で取得された製品識別子と異なる場合、第２通信部１１０に接続されている外部装置２に対応した画面を表示部１０５に表示させる。
【００１６】
（情報処理装置１の動作）
次に、本実施形態に係る情報処理装置１の特徴的な動作について説明する。
【００１７】
（非節電状態の時に外部装置２を情報処理装置１へ装着した時の動作）
まず、非節電状態にある情報処理装置１において外部装置２のＵＳＢプラグが第２通信部１１０のＵＳＢソケットに挿入されると、第２通信部１１０は、ＵＳＢのプラグが挿入されたことを検知する。第２通信部１１０は、ＵＳＢのプラグが挿入されたことを検知すると、接続された装置から製造者識別子と製品識別子を取得する。製造者識別子は、外部装置２を製造した企業を特定する識別子であり、製品識別子は、外部装置２を製造した企業が、外部装置２がどのような製品かを特定するために割り当てた識別子である。製造者識別子および製品識別子により、第２通信部１１０に接続されている装置がどの企業が製造したどのような製品か特定される。つまり、製造者識別子と製品識別子を合わせたものは、装置を特定する識別子といえる。
【００１８】
第２通信部１１０は、取得した製造者識別子および製品識別子を制御部１０２へ送る。制御部１０２は、製造者識別子および製品識別子が第２通信部１１０から送られると、図４に示した処理を行う。まず制御部１０２は、製造者識別子および製品識別子を取得する（ステップＳＡ１）。次に制御部１０２は、第２通信部１１０に接続されている装置を、受け取った製造者識別子および製品識別子を基にして特定する（ステップＳＡ２）。制御部１０２は、接続されている装置を特定すると、特定した装置に対応した画面を表示部１０５に表示させる（ステップＳＡ３）。制御部１０２は、例えば接続された外部装置２が記録媒体への読み書きを行う記録装置である場合、表示部１０５を制御して画像形成機能またはスキャン機能のいずれかをユーザに選択させる画面を表示部１０５に表示させる。
【００１９】
図５は、この画面の一例を示した図である。ユーザが「画像形成」の部分に触れる操作を操作部１０４のタッチスクリーンにおいて行うと、制御部１０２は、外部装置２に装着された記録媒体に記憶されているデータの一覧を表示部１０５に表示させる。ユーザが、表示されたデータを選択し、選択したデータの出力を指示する操作を行うと、制御部１０２により各部が制御され、選択されたデータが表す画像が用紙に形成される。また、ユーザが、「スキャン」の部分に触れる操作を行うと、制御部１０２により各部が制御されて文書の読み取りが行われ、読み取った文書の画像を表すデータが生成される。制御部１０２は、第２通信部１１０を制御し、生成されたデータを外部装置２に装着された記録媒体に記憶させる。
【００２０】
（非節電状態から節電状態へ移行する時の動作）
制御部１０２は、操作部１０４において予め定められた時間の間にユーザによる操作が行われず、且つ第１通信部１０９においてデータを受信しなかった場合、図６に示したフローチャートの処理を行う。まず制御部１０２は、第２通信部１１０を制御し、第２通信部１１０に他の装置が接続されているか判断する。ここで、他の装置が接続されていることを第２通信部１１０が検知し、他の装置が接続されていること第２通信部１１０が制御部１０２へ通知すると、制御部１０２は、第２通信部１１０に他の装置が接続されていると判断する（ステップＳＢ１でＹＥＳ）。制御部１０２は、ステップＳＢ１でＹＥＳと判断すると、第２通信部１１０を制御し、第２通信部１１０に接続されている装置から製造者識別子および製品識別子を取得する（ステップＳＢ２）。
【００２１】
制御部１０２は、製造者識別子および製品識別子を取得すると、取得した製造者識別子および製品識別子を記憶部１０３に記憶させる（ステップＳＢ３）。制御部１０２は、既に記憶部１０３に製造者識別子と製品識別子が記憶されている場合、記憶されている各識別子を新たに取得した製造者識別子および製品識別子で上書きする。なお、各識別子は記憶部１０３に記憶させるのではなくＲＡＭ１０２Ｃに記憶させてもよい。
一方、制御部１０２は、ステップＳＢ１でＮＯと判断した場合、記憶部１０３に記憶されている製造者識別子および製品識別子を消去する（ステップＳＢ４）。制御部１０２は、ステップＳＢ３またはステップＳＢ４の処理が終了すると、操作部１０４および第１通信部１０９を除く各部への電力供給を停止し、節電状態へ移行する（ステップＳＢ５）。
【００２２】
（節電状態から非節電状態へ移行する時の動作）
情報処理装置１が節電状態にある時に操作部１０４が操作されると、制御部１０２は、図７に示したフローチャートの処理を行う。まず、制御部１０２は、節電状態の時に電力の供給が停止されていた各部へ電力を供給する（ステップＳＣ１）。次に制御部１０２は、第２通信部１１０を制御し、第２通信部１１０に他の装置が接続されているか判断する。第２通信部１１０は、他の装置が接続されていない場合、他の装置が接続されていないことを制御部１０２へ通知する。制御部１０２は、この通知を受け取ると図７の処理を終了する（ステップＳＣ２でＮＯ）。
【００２３】
一方、第２通信部１１０が、他の装置が接続されていることを検知して制御部１０２へ通知すると、制御部１０２は、第２通信部１１０に他の装置が接続されていると判断する（ステップＳＣ２でＹＥＳ）。制御部１０２は、ステップＳＣ２でＹＥＳと判断すると、第２通信部１１０を制御し、第２通信部１１０に接続されている装置から製造者識別子および製品識別子を取得する（ステップＳＣ３）。
【００２４】
次に制御部１０２は、ステップＳＣ３で取得した製造者識別子と記憶部１０３に記憶されている製造者識別子が一致し、且つ、ステップＳＣ３で取得した製品識別子と記憶部１０３に記憶されている製品識別子とが一致した場合（ステップＳＣ４でＹＥＳ）、記憶部１０３に記憶されている製造者識別子および製品識別子を消去し（ステップＳＣ７）、図７の処理を終了する。
【００２５】
また、制御部１０２は、ステップＳＣ３で取得した製造者識別子と記憶部１０３に記憶されている製造者識別子が一致しない、またはステップＳＣ３で取得した製品識別子と記憶部１０３に記憶されている製品識別子とが一致しない場合（ステップＳＣ４でＮＯ）、第２通信部１１０に接続されている装置をステップＳＣ３で取得した製造者識別子および製品識別子を基にして特定する（ステップＳＣ５）。制御部１０２は、接続されている外部装置２を例えばＵＳＢメモリと特定した場合、表示部１０５を制御して画像形成またはスキャンのいずれかをユーザに選択させる画面（図５）を表示部１０５に表示させる（ステップＳＣ６）。次に制御部１０２は、ステップＳＣ７の処理を行い、図７の処理を終了する。
【００２６】
以上説明したように、本実施形態の情報処理装置１は、節電状態に移行した時に第２通信部１１０に接続されていた装置を節電状態から非節電状態に移行した時に検知しても、接続されている装置に対応した画面を表示しない。
また、本実施形態に係る情報処理装置１は、節電状態に移行した時に第２通信部１１０に接続されていた装置と、節電状態から非節電状態に移行した時に検知された装置とが異なる場合、非節電状態に移行した時に接続されている装置に応じた画面を表示する。
【００２７】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００２８】
上述した実施形態においては、第２通信部１１０に接続される装置として、記録媒体への読み書きを行う記録装置とＵＳＢメモリを例示したが、第２通信部１１０に接続される装置は、これらの装置に限定されるものではない。例えば、記録媒体を備えたデジタルカメラや記録媒体を備えたビデオカメラなど、他の装置であってもよい。
また、上述した実施形態においては、情報処理装置１は画像形成装置であるが、画像形成装置に限定されるものではなく、ＵＳＢの通信を行う装置であれば、例えばパーソナルコンピュータなど、他の装置であってもよい。例えば、パーソナルコンピュータにおいて図４，６，７の処理を実行するアプリケーションプログラムをインストールすれば、ＵＳＢの通信を行う装置を接続したままで節電状態（所謂スタンバイ状態または休止状態）へ移行してから通常状態へ戻る時に、接続された装置に関するメニュー画面が表示されないこととなる。
【００２９】
上述した実施形態においては、第２通信部１１０は、ＵＳＢ規格の通信を行うものであるが、第２通信部１１０が行う通信は、ＵＳＢ規格の通信に限定されるものではない。接続された装置を特定できる規格であれば、例えば、ＩＥＥＥ１３９４、ｅＳＡＴＡ（external Serial Advanced Technology Attachment）、ＳＣＳＩ（Small Computer System Interface）、ＰＣＩ（Peripheral Component Interconnect）バス、ＰＣカード、ＩＳＡ（Industry Standard Architecture）バスなど、他の通信の規格で通信を行い、図４，６，７の処理においては、接続された装置の識別子を取得するようにしてもよい。また、第２通信部１１０にメモリーカードのスロットを設け、図４，６，７の処理においては、スロットに装着されたメモリーカード（例えば、ＳＤカード、ＣＦカード、ｘＤカード、メモリースティック（登録商標）など）からメモリーカードを識別する識別子を取得するようにしてもよい。
【００３０】
本発明においては、第２通信部１１０は、ＵＳＢのソケットを複数備えている構成であってもよい。なお、ＵＳＢのソケットを複数備える構成の場合、ソケット毎に図４，６，７の処理を実行するようにしてもよい。
【００３１】
本発明においては、情報処理装置１への電力供給を停止する時（所謂主電源オフの状態へ移行する時）にも図６に示した処理を実行し、主電源がオフの状態から主電源オンの状態へ移行する時にも図７に示した処理を実行するようにしてもよい。
【００３２】
上述した実施形態においては、装置を特定する識別子として製造者識別子と製品識別子を用いているが、装置を特定する識別子は、これらの識別子に限定されるものではない。装置を特定できるものであれば、例えば、シリアル番号など他のものであってもよい。
【００３３】
上述したＲＯＭ１０２Ｂに記憶されているプログラムは、磁気記録媒体（磁気テープ、磁気ディスク（ＨＤＤ（Hard Disk Drive）、ＦＤ（Flexible Disk）））など、光記録媒体（光ディスクなど）、光磁気記録媒体、半導体メモリなどのコンピュータ読取り可能な記録媒体に記憶した状態で提供し、情報処理装置１にインストールしてもよい。また、通信回線を介して情報処理装置１にダウンロードしてインストールしてもよい。
【符号の説明】
【００３４】
１…情報処理装置、２…外部装置、１０１…バス、１０２…制御部、１０２Ａ…ＣＰＵ、１０２Ｂ…ＲＯＭ、１０２Ｃ…ＲＡＭ、１０３…記憶部、１０４…操作部、１０５…表示部、１０６…画像読取部、１０７…画像形成部、１０８…画像処理部、１０９…第１通信部、１１０…第２通信部、２００…供給制御部、２０１…識別子記憶部、２０２…識別子取得部、２０３…表示制御部
【図１】
0005866794.tif 000002
【図２】
0005866794.tif 000003
【図３】
0005866794.tif 000004
【図４】
0005866794.tif 000005
【図５】
0005866794.tif 000006
【図６】
0005866794.tif 000007
【図７】
0005866794.tif 000008